(57)【特許請求の範囲】
【請求項１】
窓部を有した額縁状の前枠を外枠に対して開閉自在に蝶着し、前枠の前面側には窓部を有した額縁状の前飾枠を開閉自在に軸着し、前飾枠の背面側にはガラスを装着したガラス枠を開閉自在に取り付け、前記前枠の背面側には、遊技盤を着脱自在に収納するリアプレートを設け、前記前枠の窓部を塞ぐように遊技盤を臨ませた遊技機において、
前記遊技盤には、当該遊技盤を覆うような形状に一体成型された飾り部材を配設し、
前記飾り部材の外周部には、帯状の突出部を一体的に設け、
前記ガラス枠には、周縁部と、該周縁部から帯状に突出する断面がＬ字状の係合部と、を形成し、
前記ガラス枠を閉じた状態において、前記ガラス枠の周縁部と係合部との間に生じる隙間に、前記飾り部材の突出部が嵌合するようにしたことを特徴とする遊技機における不正防止装置。
【発明の詳細な説明】
【０００１】
【産業上の利用分野】
この発明は、パチンコ機等の遊技機において、不正行為防止をおこなう遊技機における不正防止装置に関するものである。
【０００２】
【従来の技術】
周知のように、パチンコ機等の遊技機には遊技性を向上させるために、遊技盤上に各種の入賞口や表示装置が設けてあり、特に第１種、及び第３種と呼ばれているパチンコ機では、始動口と呼ばれる特別な入賞口があって、この始動口には、始動口内に入った球を検出する例えばマイクロスイッチからなるセンサーが設置されており、このセンサーによって球が検出されると検出信号を遊技機に内蔵されたマイクロコンピュータに送り、マイクロコンピュータは、この特別な入賞に対応するように遊技盤上の可変表示装置や役物等の制御をおこなっている。
【０００３】
【発明が解決しようとする課題】
しかし、従来の遊技機では、前飾り枠の隙間等からピアノ線等を遊技盤面上に挿入して上述したセンサーを誤作動させ、あたかも特別な入賞があったかのように故意に可変表示装置や役物等を制御するといった不正行為がおこなわれていた。
【０００４】
このような不正行為を防止する手段として、実開昭５７−１２８８８３号公報では、パチンコ機の前面板の上側縁部分に防犯用の遮断板を設ける技術が開示されている。しかしながら、この考案で開示された手法では、前面板の全ての隙間をカバーするためには、遮断板が大掛かりに成ってしまい、また、新たに遮断板という特別な部材を設けるために、パチンコ機の製造工程や製造コストの増加につながる等といった問題が生じていた。
【０００５】
【課題を解決するための手段】
本発明は上記に鑑みてなされたもので、窓部を有した額縁状の前枠を外枠に対して開閉自在に蝶着し、前枠の前面側には窓部を有した額縁状の前飾枠を開閉自在に軸着し、前飾枠の背面側にはガラスを装着したガラス枠を開閉自在に取り付け、前記前枠の背面側には、遊技盤を着脱自在に収納するリアプレートを設け、前記前枠の窓部を塞ぐように遊技盤を臨ませた遊技機において、前記遊技盤には、当該遊技盤を覆うような形状に一体成型された飾り部材を配設し、前記飾り部材の外周部には、帯状の突出部を一体的に設け、前記ガラス枠には、周縁部と、該周縁部から帯状に突出する断面がＬ字状の係合部と、を形成し、前記ガラス枠を閉じた状態において、前記ガラス枠の周縁部と係合部との間に生じる隙間に、前記飾り部材の突出部が嵌合するようにしたことを特徴とする。
【０００９】
【作用】
不正防止装置を構成する部材を、既存のガラス枠や飾り部材と一体的に形成したことにより、遊技機の製造工程や製造コストを増加させることなく、不正行為を防止できる。
【００１０】
【実施例】
以下、本発明の一実施例を図面に従い説明する。
図１は本発明に係わるパチンコ機１の概略正面図、図２は図１の縦断面図であって、窓部を有した額縁状の前枠１３を外枠１２に対して、ヒンジ部Ｐ、Ｑにより開閉自在に蝶着し、前記前枠１３の前面側には、窓部を有した額縁状の前飾枠１１を開閉自在に軸着し、前記前飾枠１１の下方部分には上受皿２１を設けた上受皿ユニット２を配置すると共に、背面側には一対のガラス１４ａ、１４ｂを装着したガラス枠１４を開閉自在に取り付け、前記前飾枠１１と前記前枠１３を施錠装置１５で施錠可能とする。また、前記前枠１３の上方部分の前面にはトップランプユニット９を設けると共に、下方部分の前面には、下受皿３１を設けた下受皿ユニット３を設ける。
【００１１】
前記前枠１３の窓部には、この窓部を塞ぐように飾り部材５ａを配設した遊技盤５を臨ませる。前記遊技盤５の表面側には、ガイドレール部５１（外ガイドレール５１ａ及び内ガイドレール５１ｂ）を前記飾り部材５ａと一体に形成すると共に前記ガイドレール部５１で囲まれる遊技部５２を形成する。また、該遊技部５２内に可変表示装置や変動入賞装置等の各種役物及び始動口や各種入賞具（何れも図示せず）を配置し、最下位置にアウト口５３を配設する。
【００１２】
更に前記下受皿ユニット３の前面側には、球発射装置（図示せず）により前記遊技部５２に打ち込む球の飛距離を調整するためのハンドル部３２が設けられている。
【００１３】
前記前枠１３の背面側には、前記遊技盤５を着脱自在に収納する皿枠状の金属板からなるリアプレート１６を添設し、該リアプレート１６の背面側には機構枠セット部材１６ａを蝶着自在に設置する。更に、該機構枠セット部材１６ａには前記遊技盤５の後方略々中央部分を覆うリアカバー１６ｂを形成すると共に、上方部分には賞球を貯留しておく上タンク１７を着脱自在に設け、かつ該上タンク１７と連通して該上タンク１７の球を賞球払出装置（図示せず）に誘導する下タンク１７ａを設ける。
【００１４】
図３及び図４はどちらも本発明に係わる前記遊技盤５と前記ガラス枠１４の位置関係を示す図であり、図３は前記遊技盤５に対して、前記前飾枠１１の背面側に開閉自在に取り付けられ、かつ、一対の前記ガラス１４ａ、１４ｂが装着された前記ガラス枠１４が開閉された各々の状態を示す平面図、図４は前記遊技盤５に対して前記ガラス枠１４が閉じた状態における正面図である。
図４において、前記飾り部材５ａは、前記遊技盤５を略々覆うような形状に一体成型されており、前記飾り部材５ａの上部の左右２個所には、表示灯用の孔部５８ａ、５８ｂが設けられると共に、前記ガイドレール部５１を一体的に成型しており、かつ、前記ガイドレール部５１や前記飾り部材５ａにおいて、球と擦れて磨耗したり強度を必要とする部分には、ステンレス材等からなる金属板５１ｃをインサートして補強し、部材の磨耗や変形を防止している。尚、前記孔部５８ａ、５８ｂを、有色透光部材による装飾カバーで覆うようにしてもよい。
【００１５】
また、前記内ガイドレール５１ｂの先端部や前記外ガイドレール５１ａの上部のように位置精度及び強度の要する部分には釘や割ピン等をアウトサートして前記遊技盤５に挿入可能とする。また、前記飾り部材５ａの要所の裏面側には、ボス５ｂを突出するように一体成型すると共に、前記遊技盤５に設けられた孔に挿入可能とすることにより、前記遊技盤５に対して前記ガイドレール部５１や前記飾り部材５ａが強固かつ正確に保持されるように構成している。
【００１６】
更に、前記外ガイドレール５１ａの延長上における前記内ガイドレール５１ｂの先端部と前記遊技部５２内で対面している部分には、前記ガイドレール部５１から前記遊技部５２に向って射出した球を跳ね返すゴム部材を前記飾り部材５ａに対して一体的に形成して跳ね返りゴム部５４とし、該跳ね返りゴム部５４にも釘や割ピン等をアウトサートして前記遊技盤５に挿入可能とすることにより、前記跳ね返りゴム部５４は、前記遊技盤５に対して強固かつ正確に保持されるように構成している。
【００１７】
図５乃至図７は前記飾り部材５ａの他の実施例であり、図５は前記飾り部材５ａの要部拡大図、図６は図５のＡ−Ａ線断面図、図７（ａ）乃至図７（ｄ）は図５のＢ−Ｂ線断面図である。この実施例においては、前記飾り部材５ａの外周部に帯状の突出部５ｃを一体的に設けて、前記遊技盤５に対して前記ガラス枠１４が閉じた状態における前記ガラス枠１４の保持部材とすると共に、後述する不正防止装置の構成部材としている。また、前記ガイドレール部５１は、図６に示すように、内周面に案内レールとして断面がコの字状の前記金属板５１ｃがインサートされており、かつ、前記飾り部材５ａと一体的に成型され、球の射出口付近の裏面部には、遊技盤５に挿入するボス５ｂを突出するように一体成型して前記遊技盤５に設けた孔に挿入可能とすることにより、前記遊技盤５に対して前記ガイドレール部５１が強固かつ正確に保持されるように構成している。
【００１８】
更に、前記ガイドレール部５１の他の実施例を図７（ａ）乃至図７（ｄ）に示す。この実施例において、前記ガイドレール部５１は各々図示されたような断面形状をなし、前記飾り部材５ａと一体成型され、前記飾り部材５ａの側部は前記遊技盤５の側縁と接して前記ガイドレール部５１の位置決め部材としての役割を果たすと共に、前記ガラス枠１４の保持部材であると共に、後述する不正防止装置の構成部材である帯状の突出部５ｃを一体的に形成している。前記ガイドレール部５１にインサートされた金属板５１ｃは、図７（ａ）では平行した２枚の板であり、図７（ｂ）では前記金属板５１ｃはコの字状に成型されて底部が前記遊技盤５に接しており、図７（ｃ）、（ｄ）では略々己の字状に成型されて一部が前記飾り部材５ａの補強部材となっていると共に、図７（ｃ）では前記ガイドレール部５１の内面側に前記金属板５１ｃの一部が露出しており、図７（ｄ）では前記外ガイドレール５１ａ及び前記内ガイドレール５１ｂの内周面に前記金属板５１ｃの一部が露出してこれらの面の補強部材となっている。
なお、上述した前記ガイドレール部５１の実施例では、断面形状がコの字状となっているが、断面形状はＵの字状であってもよく、また、前記外ガイドレール５１ａ及び前記内ガイドレール５１ｂの断面形状は、前記遊技盤５と反対側の端に丸みを設けてもよい。
【００１９】
図８（ａ）、（ｂ）は、図７（ａ）乃至図７（ｄ）に示した前記ガイドレール部５１の実施例におけるインサートされた前記金属板５１ｃの形状を示す図であり、図８（ａ）では、図７（ｄ）のように前記外ガイドレール５１ａ及び前記内ガイドレール５１ｂの内周面に前記金属板５１ｃの一部が露出しているような構造の部材において、図示したように前記金属板５１ｃの遊技盤５に対して垂直な面を一定間隔毎に一部を曲折させて前記外ガイドレール５１ａ及び前記内ガイドレール５１ｂと一体成型したものであり、前記外ガイドレール５１ａ及び前記内ガイドレール５１ｂを形成している樹脂部材との嵌着状態を良好にして、前記ガイドレール部５１の強度を高めたものである。また、図８（ｂ）では、図７（ｂ）のように前記ガイドレール部５１の内面側に前記金属板５１ｃの一部が露出しているような構造の部材において、前記金属板５１ｃを一定間隔毎に切り残して前記外ガイドレール５１ａ及び前記内ガイドレール５１ｂと一体成型し、前記ガイドレール部５１の強度を高めたものである。
【００２０】
一方、前記遊技部５２に面して左右に設けられた前記内ガイドレール５１ｂの最下部には、前記アウト口５３を前記飾り部材５ａと一体的に形成すると共に、図９に示すように前記遊技盤５における前記アウト口５３に対応する部分には、球を排出するためのアウト穴５２ａを設ける。なお、前記アウト口５３の下部には、例えば前記内ガイドレール５１ｂに設けた前記金属板５１ｃを延長して一体成型する。これによって、前記アウト口５３の強度は高まり、前記遊技部５２から落下してきた球の衝撃にも充分に耐え得るものとなる。
【００２１】
図１０は本発明の一実施例に係わる図であり、図３において、前記ガラス枠１４が前記遊技盤５に対して閉じた状態での縦断面図であり、図１１は、図１０の要部拡大図である。
この実施例における不正防止装置は、概略、前記ガラス枠１４が前記遊技盤５に対して閉じた状態において、第１の部材である前記ガラス枠１４の周縁部１４ｃ及び該周縁部１４ｃと一体的に形成された係合部１４ｄと、前記周縁部１４ｃ及び前記係合部１４ｄと嵌合する第２の部材である前記飾り部材５ａと一体的に形成された前記突出部５ｃとから構成され、前記遊技盤５上において前記ガイドレール部５１と前記ガラス１４ｂとで囲まれた前記遊技部５２内に、ピアノ線等の侵入を阻止するものである。
【００２２】
この実施例では、図１０のように前記ガラス枠１４が、前記遊技盤５に対して閉じた状態において、図１１に示すように、前記ガラス枠１４の周縁部１４ｃと該周縁部１４ｃから帯状に突設した断面が略々Ｌ字状の係合部１４ｄとの間で生じた間隙部が、前記飾り部材５ａの略々外周部に一体的に形成された帯状の前記突出部５ｃと嵌合する構造となり、前記不正防止装置を構成すると共に、前記ガラス枠１４を保持する保持部材として機能する。
前記不正防止装置は、前記ガラス枠１４が前記遊技盤５に対して閉じた状態において、前記飾り部材５ａと前記ガラス枠１４との隙間が、図１１からもわかるとおり、前記係合部１４ｄと前記突出部５ｃ、及び前記周縁部１４ｃとで、断面方向に４回折れ曲がった構造になり、前記隙間に何かを挿入しようとしても、必ず屈曲した部分で遮られてしまい、前記隙間を通過することが不可能となるものである。
これによって、前記遊技部５２内にピアノ線等が侵入できなくなり、パチンコ機等の遊技機において、不正行為の防止が可能となる。
なお、この実施例では、前記係合部１４ｄは、前記ガラス枠１４と同じ素材で一体成型しているが、異なる素材、例えば、鉄等の金属からなり枠部の断面が略々Ｌ字状の枠体を予め成型しておき、その後、前記枠体を前記ガラス枠１４と一体的、かつ、前記周縁部１４ｃから突出するように成型して、前記係合部１４ｄを形成しもよい。
【００２３】
また、図１１の実施例において、下方の前記突出部５ｃには、前記飾り部材５ａ本体に跨って前記金属板５１ｃがインサートされている。この補強により、前記ガラス枠１４が閉じた状態においても、前記突出部５ｃは前記ガラス枠１４を確実に保持することが可能となる。
【００２４】
以上、本発明を図示の実施例について説明したが、本発明は上記した実施例に限定されるものではなく、特許請求の範囲に記載した構成を変更しない限り適宜に実施できる。
【００２５】
【発明の効果】
以上のように本発明は、窓部を有した額縁状の前枠を外枠に対して開閉自在に蝶着し、前枠の前面側には窓部を有した額縁状の前飾枠を開閉自在に軸着し、前飾枠の背面側にはガラスを装着したガラス枠を開閉自在に取り付け、前記前枠の背面側には、遊技盤を着脱自在に収納するリアプレートを設け、前記前枠の窓部を塞ぐように遊技盤を臨ませた遊技機において、前記遊技盤には、当該遊技盤を覆うような形状に一体成型された飾り部材を配設し、前記飾り部材の外周部には、帯状の突出部を一体的に設け、前記ガラス枠には、周縁部と、該周縁部から帯状に突出する断面がＬ字状の係合部と、を形成し、前記ガラス枠を閉じた状態において、前記ガラス枠の周縁部と係合部との間に生じる隙間に、前記飾り部材の突出部が嵌合するようにしたことにより、新たに不正行為防止用の部材を設ける必要がなくなり、これによって遊技機の製造工程や製造コストを増加させることなく、不正行為を防止できるという効果を有する。
【図面の簡単な説明】
【図１】パチンコ機の概略正面図である。
【図２】図１の縦断面図である。
【図３】遊技盤に対してガラス枠を開閉した各々の状態を示す平面図である。
【図４】遊技盤に対してガラス枠が閉じた状態を示す正面図である。
【図５】飾り部材の他の実施例を示す要部拡大図である。
【図６】図５のＡ−Ａ線断面図である。
【図７】（ａ）、（ｂ）、（ｃ）、（ｄ）は図５のＢ−Ｂ線断面図である。
【図８】（ａ）、（ｂ）はガイドレール部の他の実施例である。
【図９】アウト口の構造を示す要部縦断面図である。
【図１０】遊技盤に対してガラス枠が閉じた状態を示す縦断面図である。
【図１１】図１０の要部拡大図である。
【符号の説明】
１    パチンコ機
５    遊技盤
５ａ  飾り部材
５ｃ  飾り部材の突出部
１１    前飾枠
１４      ガラス枠
１４ａ  ガラス
１４ｂ  ガラス
１４ｃ  ガラス枠の周縁部
１４ｄ  ガラス枠の係合部
５１    ガイドレール部
５１ａ  外ガイドレール
５１ｂ  内ガイドレール
５２    遊技部
【図１】
0003600659.tif 000002
【図２】
0003600659.tif 000003
【図３】
0003600659.tif 000004
【図４】
0003600659.tif 000005
【図５】
0003600659.tif 000006
【図６】
0003600659.tif 000007
【図７】
0003600659.tif 000008
【図８】
0003600659.tif 000009
【図９】
0003600659.tif 000010
【図１０】
0003600659.tif 000011
【図１１】
0003600659.tif 000012